(57)【要約】【課題】テレビジョンシステムにおいて、ユーザがテレビジョン受像機が表示しているデータ情報を簡単な操作で携帯端末に受信させる。【解決手段】テレビジョンシステムは、相互に通信可能なテレビと携帯電話とを含む。画像のデータ情報（以下、画像データ）のデータリストの取得が指示されると（Ｓ１１）、携帯電話は、テレビに対して、データリストの取得を要求するコマンドを送信する（Ｓ１２）。テレビは、コマンドの内容に基づき、画像データを検索して（Ｓ１３）データリストを生成し、携帯電話に送信する（Ｓ１５）。携帯電話は、データリストをディスプレイに表示し（Ｓ１６）、ユーザによって選択された（Ｓ１７）画像データを要求するコマンド（ＨＴＴＰ−ＧＥＴ）をテレビに送信する（Ｓ１８）。そして、テレビは、要求された画像データをコンテナから検索し（Ｓ１９）、携帯電話に送信する（Ｓ２１）。【選択図】図５
2008312159.tif 000002
【特許請求の範囲】
【請求項１】
ネットワークに接続され、相互に通信可能であるテレビジョン受像機と携帯端末とを含み、
前記テレビジョン受像機は、
テレビジョン番組（以下、ＴＶ番組という）を受信するチューナと、
前記チューナによって受信されたＴＶ番組等を表示する表示手段と、
前記テレビジョン受像機の各部を制御するテレビジョン制御手段とを備え、
前記携帯端末は、
各種メッセージ等を表示するための携帯表示手段と、
ユーザによって操作され、前記携帯端末に指示を行うための携帯操作手段と、
前記携帯端末の各部を制御する携帯制御手段とを備えるテレビジョンシステムにおいて、
前記テレビジョン受像機の前記チューナは、前記ＴＶ番組に加えて、該ＴＶ番組に対応する文字や画像等のデータ情報をさらに受信し、
前記テレビジョン受像機は、
前記チューナにより受信されたデータ情報の中から前記携帯端末側の要求に応じた内容のデータ情報を抽出して、抽出したデータ情報の一覧であるデータリストを生成するデータリスト生成手段と、
前記データリスト生成手段により生成されたデータリストを前記携帯端末に送信するためのデータリスト送信手段と、
前記チューナにより受信された前記データ情報を前記携帯端末に送信するためのデータ情報送信手段とをさらに備え、
前記携帯端末は、
前記テレビジョン受像機に対して、ユーザにより前記携帯操作手段を用いて指示されたデータ情報のデータリストを要求するためのデータリスト要求手段と、
前記テレビジョン受像機に対して、前記データリスト中のデータ情報の中から、ユーザにより前記携帯操作手段を用いて選択指示されたデータ情報を要求するためのデータ情報要求手段とをさらに備え、
前記携帯制御手段は、前記チューナによってＴＶ番組及びデータ情報を受信しているときに、ユーザにより前記携帯操作手段を用いて所望のデータ情報が指示されると、前記データリスト要求手段を用いて、前記テレビジョン受像機に対して、ユーザが所望するデータ情報のデータリストを要求し、
前記テレビジョン制御手段は、前記携帯端末から前記データリストの要求を受信したとき、前記データリスト送信手段を用いて、該データリストを前記携帯端末に送信し、
前記携帯制御手段は、前記テレビジョン受像機から前記データリストを取得した後、取得したデータリストの中から取得したいデータ情報をユーザが前記携帯操作手段を用いて選択した場合、前記データ情報要求手段を用いて、前記テレビジョン受像機に対して、ユーザによって選択された該データ情報を要求し、
前記テレビジョン制御手段は、前記携帯端末から前記データ情報の要求を受信したとき、前記データ情報送信手段を用いて、該データ情報を前記携帯端末に送信することを特徴とするテレビジョンシステム。
【請求項２】
前記テレビジョン受像機は、受信したデータ情報を種類毎に分けて格納した複数種類のコンテナを有し、
前記データ情報要求手段は、ユーザにより前記携帯操作手段を用いて選択指示された種類のコンテナに含まれるデータ情報の中からユーザにより該携帯操作手段を用いて選択指示されたデータ情報を、前記テレビジョン受像機に対して要求することを特徴とする請求項１に記載のテレビジョンシステム。
【請求項３】
前記携帯端末と前記テレビジョン受像機とは、ＵＰｎＰ（Ｕｎｉｖｅｒｓａｌ  Ｐｌｕｇ  ａｎｄ  Ｐｌａｙ）の規格に従って通信を行うことを特徴とする請求項２に記載のテレビジョンシステム。
【請求項４】
前記テレビジョン受像機は、ＤＭＳ（Ｄｉｇｉｔａｌ  Ｍｅｄｉａ  Ｓｅｒｖｅｒ）の機能を持ち、前記携帯端末は、Ｍ−ＤＭＤ（Ｍｏｂｉｌｅ−Ｄｉｇｉｔａｌ  Ｍｅｄｉａ  Ｄｏｗｎｌｏａｄｅｒ）の機能を持つことを特徴とする請求項３に記載のテレビジョンシステム。
【発明の詳細な説明】
【技術分野】
【０００１】
本発明は、テレビジョン受像機と携帯端末とを含むテレビジョンシステムに関し、特にテレビジョン受像機が受信するデータ情報を携帯端末が容易に受信する技術に関する。
【背景技術】
【０００２】
近年、テレビジョン（以下、ＴＶという）番組と、ＴＶ番組に対応する文字や画像等を含むデータ情報とをチューナから受信し、受信したデータ情報をディスプレイに表示するテレビが知られている。ユーザは、ディスプレイに表示されたデータ情報を携帯電話に入力するために、携帯電話の入力ボタンを操作したり、携帯電話に設けられたカメラを用いて、テレビのディスプレイに表示された、ＵＲＬ等の文字を取得するための２次元バーコードを読み取らせたりすることがある。そのため、ユーザが、テレビに表示されているデータ情報を携帯電話に受信させるのに手間がかかるという問題がある。
【０００３】
これに対して、特許文献１には、それぞれインターネットに接続可能なテレビと携帯電話とを備え、テレビからインターネット上のサーバに送信されたデータ情報を、携帯電話がインターネット上の該サーバにアクセスすることにより受信することができるネットワークシステムが開示されている。しかし、このシステムでは、ユーザが携帯電話を操作してインターネット上のサーバにアクセスしなければならないので、ユーザにとって手間がかかる。
【０００４】
また、特許文献２には、テレビがデータ情報に含まれるＵＲＬを認識し、認識したＵＲＬ先のコンテンツ情報を受信し、受信したコンテンツ情報を携帯電話に送信することができるネットワークシステムが開示されている。しかし、このシステムでは、ユーザが、携帯電話に送信された情報の中から欲しい情報を抽出しなければならないので、ユーザにとって手間がかかる。
【特許文献１】特開２００１−３２５３７６号公報
【特許文献２】特開２００４−１９３６３９号公報
【発明の開示】
【発明が解決しようとする課題】
【０００５】
本発明は、上記問題を解決するためになされたものであり、ユーザがテレビジョン受像機が表示しているデータ情報を簡単な操作で携帯端末に受信させることができるテレビジョンシステムを提供することを目的とする。
【課題を解決するための手段】
【０００６】
上記目的を達成するために請求項１の発明は、ネットワークに接続され、相互に通信可能であるテレビジョン受像機と携帯端末とを含み、前記テレビジョン受像機は、テレビジョン番組（以下、ＴＶ番組という）を受信するチューナと、前記チューナによって受信されたＴＶ番組等を表示する表示手段と、前記テレビジョン受像機の各部を制御するテレビジョン制御手段とを備え、前記携帯端末は、各種メッセージ等を表示するための携帯表示手段と、ユーザによって操作され、前記携帯端末に指示を行うための携帯操作手段と、前記携帯端末の各部を制御する携帯制御手段とを備えるテレビジョンシステムにおいて、前記テレビジョン受像機の前記チューナは、前記ＴＶ番組に加えて、該ＴＶ番組に対応する文字や画像等のデータ情報をさらに受信し、前記テレビジョン受像機は、前記チューナにより受信されたデータ情報の中から前記携帯端末側の要求に応じた内容のデータ情報を抽出して、抽出したデータ情報の一覧であるデータリストを生成するデータリスト生成手段と、前記データリスト生成手段により生成されたデータリストを前記携帯端末に送信するためのデータリスト送信手段と、前記チューナにより受信された前記データ情報を前記携帯端末に送信するためのデータ情報送信手段とをさらに備え、前記携帯端末は、前記テレビジョン受像機に対して、ユーザにより前記携帯操作手段を用いて指示されたデータ情報のデータリストを要求するためのデータリスト要求手段と、前記テレビジョン受像機に対して、前記データリスト中のデータ情報の中から、ユーザにより前記携帯操作手段を用いて選択指示されたデータ情報を要求するためのデータ情報要求手段とをさらに備え、前記携帯制御手段は、前記チューナによってＴＶ番組及びデータ情報を受信しているときに、ユーザにより前記携帯操作手段を用いて所望のデータ情報が指示されると、前記データリスト要求手段を用いて、前記テレビジョン受像機に対して、ユーザが所望するデータ情報のデータリストを要求し、前記テレビジョン制御手段は、前記携帯端末から前記データリストの要求を受信したとき、前記データリスト送信手段を用いて、該データリストを前記携帯端末に送信し、前記携帯制御手段は、前記テレビジョン受像機から前記データリストを取得した後、取得したデータリストの中から取得したいデータ情報をユーザが前記携帯操作手段を用いて選択した場合、前記データ情報要求手段を用いて、前記テレビジョン受像機に対して、ユーザによって選択された該データ情報を要求し、前記テレビジョン制御手段は、前記携帯端末から前記データ情報の要求を受信したとき、前記データ情報送信手段を用いて、該データ情報を前記携帯端末に送信するものである。
【０００７】
請求項２の発明は、請求項１に記載のテレビジョンシステムにおいて、前記テレビジョン受像機は、受信したデータ情報を種類毎に分けて格納した複数種類のコンテナを有し、前記データ情報要求手段は、ユーザにより前記携帯操作手段を用いて選択指示された種類のコンテナに含まれるデータ情報の中からユーザにより該携帯操作手段を用いて選択指示されたデータ情報を、前記テレビジョン受像機に対して要求するものである。
【０００８】
請求項３の発明は、請求項２に記載のテレビジョンシステムにおいて、前記携帯端末と前記テレビジョン受像機とは、ＵＰｎＰ（Ｕｎｉｖｅｒｓａｌ  Ｐｌｕｇ  ａｎｄ  Ｐｌａｙ）の規格に従って通信を行うものである。
【０００９】
請求項４の発明は、請求項３に記載のテレビジョンシステムにおいて、前記テレビジョン受像機は、ＤＭＳ（Ｄｉｇｉｔａｌ  Ｍｅｄｉａ  Ｓｅｒｖｅｒ）の機能を持ち、前記携帯端末は、Ｍ−ＤＭＤ（Ｍｏｂｉｌｅ−Ｄｉｇｉｔａｌ  Ｍｅｄｉａ  Ｄｏｗｎｌｏａｄｅｒ）の機能を持つものである。
【発明の効果】
【００１０】
請求項１の発明によれば、携帯制御手段は、テレビジョン受像機に対して、取得したデータリストの中から、ユーザによって選択されたデータ情報を要求し、テレビジョン制御手段は、要求されたデータ情報を携帯端末に送信する。そのため、特許文献１の発明と異なり、データ情報を記憶させるサーバ等を備える必要がないので、テレビジョンシステムを構成するためのコストを低減させることができる。また、従来と異なり、ユーザがテレビで表示しているデータ情報を携帯電話に受信させるのに煩雑な操作を必要としないので、ユーザによる手間を軽減させることができる。
【００１１】
請求項３の発明によれば、携帯端末とテレビジョン受像機とは、ＵＰｎＰの規格に従って通信を行うので、独自プロトコルに対応した専用機器や専用ソフトウェア等の導入コストをかける必要がない。そのため、テレビジョンシステムを構成するためのコストを低減させることができる。
【発明を実施するための最良の形態】
【００１２】
以下、本発明の一実施形態に係るテレビジョンシステムについて、図１乃至図３を参照して説明する。図１は、テレビ（テレビジョン受像機）２と携帯電話（携帯端末）３とを含むテレビジョンシステム１の構成を示す外観図であり、図２は、テレビ２の内部構成を示すブロック図であり、図３は、携帯電話３の内部構成を示すブロック図である。テレビ２と、携帯電話３とは、同一のホームネットワーク（ネットワーク）に接続され、相互に通信可能である。テレビ２と携帯電話３とは、無線による通信を行うことができる。
【００１３】
テレビ２、及び携帯電話３は、ＵＰｎＰ（Ｕｎｉｖｅｒｓａｌ  Ｐｌｕｇ  ａｎｄ  Ｐｌａｙ）規格に従って通信を行う機器とする。ＵＰｎＰ規格対応機器は、各機器の操作方法や、お互いに連携する際の手順が規格として定められており、その規格に従って動作する。そのため、ネットワーク上のＵＰｎＰ規格対応機器同士の通信を容易に行うことができるという利点がある。
【００１４】
テレビ２は、ＤＭＳ（Ｄｉｇｉｔａｌ  Ｍｅｄｉａ  Ｓｅｒｖｅｒ）の機能を有し、携帯電話３は、Ｍ−ＤＭＤ（Ｍｏｂｉｌｅ−Ｄｉｇｉｔａｌ  Ｍｅｄｉａ  Ｄｏｗｎｌｏａｄｅｒ）の機能を有する。ＤＭＳは、コンテンツの公開を行うものであり、Ｍ−ＤＭＤは、コンテンツのダウンロードを行うものである。
【００１５】
テレビ２は、図２に示すように、テレビジョン番組（以下、ＴＶ番組という）に対応するテレビジョン放送信号（以下、ＴＶ放送信号という）を受信するチューナ２４と、チューナ２４によって受信されたＴＶ番組や、各種メッセージ等を表示するディスプレイ（表示手段）２２と、チューナ２４によって受信されたＴＶ番組の音声等を出力するスピーカ２３と、ユーザによって操作され、チューナ２４が受信するＴＶ番組の切替え等の指示を行うための操作部２６とを備える。
【００１６】
また、テレビ２は、ホームネットワークに接続するための無線ネットワークインタフェース２７と、各部を制御する制御用マイコン（テレビジョン制御手段）２１と、制御用マイコン２１を動作させるためのプログラム等を記憶するためのメモリ２５をさらに備える。
【００１７】
チューナ２４は、ＴＶ番組に加えて、ＴＶ番組に対応する文字や画像等のデータ情報を含むＢＭＬ（Ｂｒｏａｄｃａｓｔ  Ｍａｒｋｕｐ  Ｌａｎｇｕａｇｅ）データをさらに受信する。データ情報は、ＪＰＥＧやＰＮＧ等の形式の画像データや、ＵＲＬ等の文字データ等である。ＢＭＬデータは、データ情報を後述する検索要求に対応する形式で格納している。詳細については後述する。  
【００１８】
メモリ２５には、チューナ２４によって受信されたデータ情報を格納するための複数種類のコンテナや、携帯電話３からの要求に応じた内容のデータ情報の一覧であるデータリストが記憶される。コンテナは、データ情報の種類に応じて設けられ、データ情報は自身の種類に応じたコンテナに格納される。
【００１９】
データ情報には、自身の種類を示すタグが付加されている。具体的には、データ情報がチケットの情報を示す場合、このデータ情報には「Ｔｉｃｋｅｔ」の名称が含まれるタグが付加されている。このタグの情報に従って、データ情報は各種のコンテナに格納される。
【００２０】
制御用マイコン２１は、請求項に記載のデータリスト生成手段、データリスト送信手段、及びデータ情報送信手段として機能する。
【００２１】
携帯電話３は、図３に示すように、各種メッセージ等を表示するディスプレイ（携帯表示手段）３２と、ユーザによって操作され、携帯電話３に指示を行うための操作部（携帯操作手段）３３と、通話による音声を出力するスピーカ３４と、ホームネットワークに接続するための無線ネットワークインタフェース３７とを備える。
【００２２】
また、携帯電話３は、音声等のデータの送受信を行うための通信部３８と、音声を入力するためのマイク３６と、携帯電話３の各部を制御する制御用マイコン（携帯制御手段）３１と、制御用マイコン３１を動作させるためのプログラムを記録するためのフラッシュメモリ３５とをさらに備える。
【００２３】
操作部３３は、テレビ２に対して、所望の内容のデータリストの要求や、データリストから選択したデータ情報の要求を指示することができる。
【００２４】
制御用マイコン３１は、請求項におけるデータリスト要求手段、及びデータ情報要求手段として機能する。
【００２５】
次に、携帯電話３がテレビ２を認識する処理について、図４に示すタイミングチャートを用いて説明する。ここでは、携帯電話３とテレビ２とは同一ネットワークに接続されるものとする。
【００２６】
まず、携帯電話３がテレビ２と同一のネットワークに接続されると、制御用マイコン３１は、機器検索コマンド（Ｍ−Ｓｅａｒｃｈ）をネットワーク上にマルチキャストで送信する（Ｓ１）。機器検索コマンドを受信したテレビ２は、自端末が存在することを通知する通知コマンド（Ｎｏｔｉｆｙ）を携帯電話３に送信する（Ｓ２）。テレビ２から送信された通知コマンドを受信した携帯電話３は、通知コマンドの内容に基づいて同一ネットワーク上にテレビ２が接続されていることを認識する。
【００２７】
次に、携帯電話３がテレビ２からデータ情報を取得する処理の手順について、図５に示すフローチャートを参照して説明する。ここでは、テレビ２は、チューナ２４を用いてＴＶ番組と、ＴＶ番組に対応するＢＭＬデータとを受信しているものとし、受信したＢＭＬデータに含まれるデータ情報は種類に応じたコンテナに格納されているものとする。
【００２８】
まず、ユーザによって操作部３３が操作され、例えば、クーポンや地図等の画像のデータ情報（以下、画像データという）のデータリストの取得が指示されると（Ｓ１１）、携帯電話３の制御用マイコン３１は、テレビ２に対して、指示された内容の画像データに対応したデータリストの取得を要求する要求コマンド（Ｂｒｏｗｓｅ）を送信する（Ｓ１２）。
【００２９】
そして、テレビ２の制御用マイコン２１は、受信したコマンドの内容に基づき、画像データが格納されているコンテナの中から受信したコマンドの内容に相当する画像データを検索し（Ｓ１３）、検索された画像データを取得する（Ｓ１４）。ここで、画像データの検索は、コマンドの内容に基づいたコンテナの中の画像のデータ情報に対して行われる。例えば、クーポンに関するデータ情報のデータリストを取得する場合、クーポンに関するデータ情報を集めたコンテナに対して検索が行われる。
【００３０】
そして、制御用マイコン２１は、上記Ｓ１４の処理による検索結果を用いて、データリストを生成し、生成したデータリストを携帯電話３に送信する（Ｓ１５）。
【００３１】
携帯電話３の制御用マイコン３１は、テレビ２から取得したデータリストをディスプレイ３２に表示する（Ｓ１６）。データリスト中には、データ情報自身を表示してもよいし、データ情報が画像の場合、画像のサムネイルを表示してもよい。
【００３２】
そして、ユーザが操作部３３を用いて、取得したデータリストの中から取得したい画像データを選択すると（Ｓ１７）、制御用マイコン３１は、テレビ２に対して、ユーザによって選択された画像データを要求する要求コマンド（ＨＴＴＰ−ＧＥＴ）を送信する（Ｓ１８）。
【００３３】
そして、テレビ２の制御用マイコン２１は、画像データの要求コマンドを受信したとき、要求された画像データをコンテナから検索し（Ｓ１９）、画像データを取得する（Ｓ２０）。
そして、制御用マイコン２１は、取得した画像データを携帯電話３に送信する（Ｓ２１）。
【００３４】
そして、携帯電話３の制御用マイコン３１は、テレビ２から画像データを受信したとき、受信した画像データをディスプレイ３２に表示する（Ｓ２２）。ユーザがディスプレイに表示された画像データを確認して、所望の画像データであった場合、ユーザが操作部３３を操作することにより携帯電話に保存の指示を行う（Ｓ２３）。制御用マイコン３１は、画像データの保存が指示された場合、該当の画像データをフラッシュメモリ３５に記録する（Ｓ２４）。これにより、ユーザは所望の画像データを携帯電話３にメモ（ダウンロード）することができる。ここでは、画像のデータ情報を取得する例を示したが、文字のデータ情報であっても同様の手順により携帯電話にメモさせることができる。  
【００３５】
上述したように、本実施形態に係るテレビ２と携帯電話３とを含むテレビジョンシステム１によれば、制御用マイコン３１は、テレビ２に対して、取得したデータリストの中から、ユーザによって選択されたデータ情報を要求し、テレビ２の制御用マイコン２１は、要求されたデータ情報を携帯電話３に送信する。そのため、特許文献１の発明と異なり、データ情報を記憶させるサーバ等を備える必要がないので、テレビジョンシステム１を構成するためのコストを低減させることができる。また、従来と異なり、ユーザがテレビで表示しているデータ情報を携帯電話に受信させるのに煩雑な操作を必要としないので、ユーザによる手間を軽減させることができる。
【００３６】
また、携帯電話３とテレビ２とは、ＵＰｎＰの規格に従って通信を行うので、独自プロトコルに対応した専用機器や専用ソフトウェア等の導入コストをかける必要がない。そのため、テレビジョンシステム１を構成するためのコストを低減させることができる。
【００３７】
なお、本発明は、上記実施形態の構成に限られず、発明の趣旨を変更しない範囲で種々の変形が可能である。例えば、テレビ２が受信したデータ情報等をＰＤＡ等の携帯端末に送信するものであってもよい。
【図面の簡単な説明】
【００３８】
【図１】本発明の一実施形態に係るテレビと、携帯電話とを含むテレビジョンシステムの構成を示す外観図。
【図２】上記テレビの内部構成を示すブロック図。
【図３】上記携帯電話の内部構成を示すブロック図。
【図４】上記携帯電話が上記テレビを認識する処理の手順を示すフローチャート。
【図５】上記テレビが受信したデータ情報を携帯電話が取得する処理の手順を示すフローチャート。
【符号の説明】
【００３９】
１  テレビジョンシステム
２  テレビ（テレビジョン受像機）
３  携帯電話（携帯端末）
２１  制御用マイコン（テレビジョン制御手段）
２２  ディスプレイ（表示手段）
２４  チューナ
２６  操作手段
３１  制御用マイコン（携帯制御手段）
３２  ディスプレイ（携帯表示手段）
３３  操作部（携帯操作手段）
【図１】
2008312159.tif 000003
【図２】
2008312159.tif 000004
【図３】
2008312159.tif 000005
【図４】
2008312159.tif 000006
【図５】
2008312159.tif 000007